(57)【要約】【課題】  上下に隣接する断熱材の隙間を閉塞するための気密テープの貼着作業が行いやすい壁材留具を提供する。【解決手段】  壁下地２に断熱材３と外装材４とを取り付けるための壁材留具Ａに関する。壁下地２に固定するための固定片２０と、固定片２０の表面に突設される断熱材支持片２１と、断熱材支持片２１から上側に向って突設される上係止部２７と、断熱材支持片２１から下側に向って突設される下係止部２８と、断熱材支持片２１よりも下側において下係止部２８から断熱材支持片２１側と反対側に突設される外装材保持部２２とを備える。【選択図】  図１
2006336248.tif 000002
【特許請求の範囲】
【請求項１】
壁下地に断熱材と外装材とを取り付けるための壁材留具であって、壁下地に固定するための固定片と、固定片の表面に突設される断熱材支持片と、断熱材支持片から上側に向って突設される上係止部と、断熱材支持片から下側に向って突設される下係止部と、断熱材支持片よりも下側において下係止部から断熱材支持片側と反対側に突設される外装材保持部とを備えて成ることを特徴とする壁材留具。
【請求項２】
断熱材支持片で支持される断熱材と外装材保持部で支持される外装材との間に空気層を形成するための空気層形成手段を備えて成ることを特徴とする請求項１に記載の壁材留具。
【発明の詳細な説明】
【技術分野】
【０００１】
本発明は、断熱材と外装材とからなる断熱壁を施工する際に用いられる壁材留具に関するものである。
【背景技術】
【０００２】
従来より、断熱材と外装材とからなる断熱壁を壁下地の外側（屋外側）に形成することが行われており、壁下地を既存壁としたリフォームなどとして利用されている。このような断熱壁を形成するにあたっては、断熱材と外装材とを壁下地に取り付けて保持するための壁材留具が用いられている（例えば、特許文献１参照）。
【０００３】
図６（ａ）に特許文献１に記載された壁材留具Ａの一例を示す。この壁材留具Ａは、壁下地２の表面に固定される基板１０表面から断熱材３と外装材４を支持するための支持板１１が延出され、該支持板１１の表裏面には、前記基板１０表面にあてがわれる断熱材３を位置決めする係止片１２が立設され、該位置決め用の係止片１２から前記支持板１１の先端側に必要な空間幅Ｓを隔てて外装材４の端部に掛かり合う一対の位置決め用の係止片１３、１４が前記支持板１１に立設されたものである。
【０００４】
そして、上記壁材留具Ａを用いて断熱壁を構築するにあたっては、以下のようにして行う。まず、図６（ｂ）に示すように、柱や桁などの壁下地２に基板１０を釘などの止着具７を打ち込んで固定する。そして、発泡樹脂などからなる断熱材３を基板１０と係止片１２との間に設置し、次いで繊維補強セメント板などの外装材４を係止片１３、１４に設置する。外装材４は、上下端縁に互いに嵌合する接合用段部が形成され、係止片１３は外装材４の裏面に当接され、係止片１４は外装材４に形成した嵌合溝に係合される。このように断熱材３、外装材４の下端を設置して位置決めした後、これらの上端部に上記とは別の壁材留具Ａを当てがい、壁下地２に基板１０を釘などの止着具７を打ち込んで固定する。この後、断熱材３、外装材４の上端部に配置した壁材留具Ａの上に上記とは別の断熱材３と外装材４とを上記と同様に載置する。このようにして壁材留具Ａと断熱材３と外装材４とを順次壁下地２に取り付けていくことによって、壁下地２の外側に断熱壁を形成することができる。
【０００５】
上記の断熱壁では、上下に隣接する断熱材３、３の間に支持板１１の厚み分の隙間６５が形成されるために、断熱性が損なわれる恐れがある。そこで、断熱材３、３の外面（屋外側の面）に気密テープを断熱材３の幅方向（水平方向）に貼着することにより、上記隙間を略全長に亘って閉塞することが行われているが、気密テープを貼着する際に、図７に示すように、外装材４の上端４ａが隙間６５と同じ高さに位置するために、気密テープの貼着作業が行いにくいという問題があった。
【特許文献１】特開２００３−７４１３２号公報
【発明の開示】
【発明が解決しようとする課題】
【０００６】
本発明は上記の点に鑑みてなされたものであり、上下に隣接する断熱材の隙間を閉塞するための気密テープの貼着作業が行いやすい壁材留具を提供することを目的とするものである。
【課題を解決するための手段】
【０００７】
本発明の壁材留具Ａは、壁下地２に断熱材３と外装材４とを取り付けるための壁材留具Ａであって、壁下地２に固定するための固定片２０と、固定片２０の表面に突設される断熱材支持片２１と、断熱材支持片２１から上側に向って突設される上係止部２７と、断熱材支持片２１から下側に向って突設される下係止部２８と、断熱材支持片２１よりも下側において下係止部２８から断熱材支持片２１側と反対側に突設される外装材保持部２２とを備えて成ることを特徴とするものである。
【０００８】
本発明にあっては、断熱材支持片２１で支持される断熱材３と外装材保持部２２で支持される外装材４との間に空気層８１を形成するための空気層形成手段３０を備えることができる。
【発明の効果】
【０００９】
本発明では、断熱材支持片２１を挟んで上下に隣接する断熱材３、３の間に形成される隙間６５よりも下方に、外装材保持部２２で支持される外装材４の上端が位置するために、上記隙間６５を閉塞するための気密テープ６６を貼着するにあたって、外装材４の上端が邪魔にならず、気密テープ６６の貼着作業が行いやすいものである。
【発明を実施するための最良の形態】
【００１０】
以下、本発明を実施するための最良の形態を説明する。
【００１１】
本発明の壁材留具Ａは、ステンレス鋼やアルミニウムなどの金属成形品あるいは硬質プラスチックなどのプラスチック成形品などで形成されるものであって、幅寸法が５０ｍｍ程度のピース物（断熱材３や外装材４の幅寸法に比べて幅寸法が短い短尺物）として形成されている。また、壁材留具Ａは、図１（ａ）（ｂ）に示すように、固定片２０、断熱材支持片２１、上係止部２７、下係止部２８、外装材保持部２２などを備えて形成されている。
【００１２】
断熱材支持片２１は略水平の平板状に形成されている。断熱材支持片２１の後端には固定片２０が上側に突出して設けられている。固定片２０は断熱材支持片２１の後端から前側に向って突出するように延設された屈曲部３１と、屈曲部３１の先端から後側に向かって突出するように延設された傾斜部７２と、傾斜部７２の先端から上側に向かって突出するように延設された固着部４０とで形成されている。固着部４０には複数の固着孔４１が幅方向に並んで設けられている。尚、固着孔４１は必ずしも複数個設ける必要はなく、１個であってもよい。また、断熱材支持片２１の後端には挟持片４３が下側に突出して設けられている。
【００１３】
断熱材支持片２１の前端には、上側に向って突出する上係止部２７と、下側に向って突出する下係止部２８とが形成されている。上係止部２７と下係止部２８とは上下に真っ直ぐに並んでおり、上係止部２７と下係止部２８の内部には空隙部４４が形成されている。そして、この上係止部２７と下係止部２８が空気層形成手段３０として形成されている。上係止部２７の上部の前面（屋外側面）と下係止部２８の下部の前面（屋外側面）は曲面に形成されており、外装材４や断熱材３が差し込みやすくなっている。また、上係止部２７と下係止部２８の厚み（前後方向の寸法）を変えることにより、外装材４と断熱材３の間に形成される空気層８１の寸法を変えることができる。
【００１４】
外装材保持部２２は下係止部２８の前面に設けられている。従って、外装材保持部２２は下係止部２８の断熱材支持片２１側の面と反対側の面に突設されている。外装材保持部２２は下係止部２８の前面から上方に向かって略倒く字状に形成される上向き保持片４５と、上向き保持片４５の下面に突設される断面略倒Ｌ字状の下向き保持片４６とで形成されている。
【００１５】
そして、上記のような壁材留具Ａを用いて断熱壁を形成するにあたっては、次のようにして行う。まず、図２に示すように、壁下地２の下部の表面に土台水切り５０とスタータ金具５１とを取り付ける。ここで、図２には下地壁２として既存壁が示してある。すなわち、既存壁である壁下地２は、土台５２の上面に断面略コ字状のベース金物５３を取り付けると共にベース金物５３の上に断面略コ字状の胴縁などの壁構造材５４を取り付け、この壁構造材５４にスペーサ５５を介して板状の壁材５６を取り付けることによって形成されている。尚、上記既存壁の構造は図２のものに限定されるものではなく、一般的な木造住宅や鉄骨住宅の構造であっても良い。スタータ金具５１は、断面略ロ字状の基台５７の上面に基台係止部５８を突設すると共に基台５７の上面後方に取付片５９を設け、さらに、基台５７の屋外側面に基台保持片６０が突設することによって形成されている。そして、スタータ金具５１の取付片５９と土台水切り５０の上部とにビスや釘等の止着具７を挿通して壁下地２のスペーサ５５に螺入することによって、壁下地２の表面（屋外側面）の下部に土台水切り５０とスタータ金具５１とを取り付ける。尚、スタータ金具５１はピース物であってもよいし、長尺ものであってもよい。
【００１６】
次に、断熱材３をスタータ金具５１に支持させる。断熱材３はウレタンフォームやフェノールフォームなどの樹脂発泡体やグラスウールやロックウールなどの繊維集合体などで形成されるボードを使用することができる。そして、断熱材３の下端部を壁下地２に取り付けたスタータ金具５１の基台係止部５８と取付片５９の間に差し込むことによって、断熱材３をスタータ金具５１に保持して支持させる。また、断熱材３と壁下地２の間には気密を確保するためのパッキン６７が設けられている。
【００１７】
次に、外装材４をスタータ金具５１に支持させる。外装材４は繊維補強セメント板などで平板状に形成されるものであって、その下端には断面略逆Ｖ字状の溝部６１が形成されている。そして、外装材４の溝部６１を壁下地２に取り付けたスタータ金具５１の基台保持片６０に差し込むことによって、外装材４をスタータ金具５１に保持して支持させる。従って、外装材４は断熱材３の屋外側に配置された状態となる。
【００１８】
次に、スタータ金具５１で壁下地２の屋外側に配置された上記断熱材３と外装材４の上側に上記壁材留具Ａを取り付ける。壁材留具Ａを取り付けるにあたっては、上記スタータ金具５１で支持した断熱材３の上端部を壁材留具Ａの挟持片４３と下係止片２８との間に挿入すると共に、上記スタータ金具５１で支持した外装材４の上端の係止突部６２に外装材保持部２２の下向き保持片４６を係止し、この後、固定片２０の固着部４０を止着具７により壁下地２に固定する。ここで、断熱材３の上端面は壁材留具Ａの断熱材支持片２１の下面に当接される。このようにして上記断熱材３と外装材４の上側に壁材留具Ａを取り付けるが、壁材留具Ａは断熱材３と外装材４の幅方向の両端二箇所に設けるようにする。
【００１９】
次に、上記壁材留具Ａの上にさらに別の断熱材３を載置する。すなわち、新たな断熱材３の下端部を壁下地２に取り付けた上記壁材留具Ａの固定片２０と上係止部２７の間に差し込むことによって、断熱材３を壁材留具Ａに保持して支持させる。ここで、この断熱材３の下端面は壁材留具Ａの断熱材支持片２１の上面に当接される。
【００２０】
次に、断熱材支持片２１を挟んで上下に隣接する断熱材３、３の間に形成される隙間６５を閉塞するように気密テープ６６を貼着する。この気密テープ６６は通気性のない基材に粘着層を設けて形成されるテープ材であって、上下に隣接する断熱材３、３に亘って気密テープ６６を貼着することによって、隙間６５を閉塞して断熱性の低下を防止するものである。そして、この気密テープ６６を貼着する際には、上記外装材４の上端は断熱材支持片２１よりも下側に設けた外装材保持部２２の下向き保持片４６に係止されているために、図４に示すように、外装材４の上端４ａが上記隙間６５よりも下側に位置することになる。従って、上記隙間６５を気密テープ６６で閉塞する際に、外装材４の上端４ａが邪魔にならず、気密テープ６６の貼着作業が行いやすくなるものである。
【００２１】
次に、上記壁材留具Ａにさらに別の外装材４を支持させる。すなわち、新たな外装材４の下端部の溝部６１を壁下地２に取り付けた上記壁材留具Ａの外装材保持部２２の上向き保持片４５に差し込むことによって、外装材４を壁材留具Ａに保持して支持させる。ここで、この上側の外装材４の下端で下側の外装材４及び壁材留具Ａの外装材保持部２２を被覆する。
【００２２】
この後、壁材留具Ａに支持した上記断熱材３と外装材４の上側にさらに別の壁材留具Ａを取り付ける。この壁材留具Ａは上記と同様の方法で取り付けることができる。そして、所定数の壁材留具Ａと断熱材３と外装材４とを順次取り付ける。
【００２３】
図５は断熱壁の上端付近を示すものであり、最上の断熱材３の上側には木胴縁８０が止着具７により壁下地２に取り付けられている。また、最上の断熱材３の上面と木胴縁８０の下面との隙間６８を閉塞するために断熱材３と木胴縁８０に亘って気密テープ６６が貼着されている。また、最上の外装材４と断熱材３との間及び最上の外装材４と木胴縁８０の間にはスペーサ６９が設けられており、この外装材４の表面（屋外面）からスペーサ６９を貫通して木胴縁８０に止着具７が螺入され、外装材４の上部が固定されている。さらに、最上の外装材４と軒天井７０の間には見切り縁７１が設けられている。このようにして断熱材３と外装材４及び壁材留具Ａからなる断熱壁を形成することができる。また、外装材４と断熱材３の間には空気層形成手段３０の厚み寸法分の空気層８１が形成される。
【００２４】
本発明の壁材留具Ａにおいて、上係止部２７と下係止部２８の後面（断熱材支持片２１側の面であって、壁材留具Ａを壁下地２に取り付けた際に壁下地２側に向く面）には突起２５が設けられている。また、この上係止部２７の突起２５よりもやや下側の位置において固定片２０の前面（断熱材支持片２１側の面であって、壁材留具Ａを壁下地２に取り付けた際に壁下地２と反対側に向く面）には支点部２６が形成されている。支点部２６は屈曲部３１と傾斜部７２の境界部分の屈曲部分により形成されている。
【００２５】
そして、上記のように、上係止部２７と固定片２０との間に断熱材３の下端を差し込むと、この断熱材３の下部が突起２５で壁下地２側に押圧されると共に断熱材３の下部が支点部２６を支点として傾斜部７２の傾斜と同方向に傾くことになる。従って、断熱材３を壁材留具Ａに支持させると、自然に壁下地２の方に傾いて壁下地２の表面によりかかった状態となる。よって、断熱材３の上側に新たな壁材留具Ａを取り付けるまでに、接着剤や粘着テープを用いることなく、断熱材３を壁下地２側に突起２５で押圧して仮固定することができ、断熱材３及び外装材４の施工を容易に行うことができる。尚、突起２５や支点部２６は必ずしも設ける必要はなく、必要に応じて設ければよい。
【図面の簡単な説明】
【００２６】
【図１】本発明の実施の形態の一例を示し、（ａ）は側面図、（ｂ）は正面図である。
【図２】本発明を用いた断熱壁の一部を示す断面図である。
【図３】本発明を用いた断熱壁の一部を示す断面図である。
【図４】本発明を用いた断熱壁の一部を示す正面図である。
【図５】本発明を用いた断熱壁の一部を示す断面図である。
【図６】（ａ）は従来例の壁材留具を示す斜視図、（ｂ）は従来例の壁材留具を用いた断熱壁の一部を示す断面図である。
【図７】従来例を示す正面図である。
【符号の説明】
【００２７】
２  壁下地
３  断熱材
４  外装材
２０  固定片
２１  断熱材支持片
２２  外装材保持部
２７  上係止部
２８  下係止部
３０  空気層形成手段
Ａ  壁材留具
【図１】
2006336248.tif 000003
【図２】
2006336248.tif 000004
【図３】
2006336248.tif 000005
【図４】
2006336248.tif 000006
【図５】
2006336248.tif 000007
【図６】
2006336248.tif 000008
【図７】
2006336248.tif 000009